(57)【要約】【課題】本考案は、狭いスペースでも、布団の出し入れが行ない易い袋状布団カバーの提供を目的とするものである。【解決手段】本考案に係る袋状布団カバーＡは、矩形状の上下２枚の生地の短辺を閉塞し、長辺を、向き合う２個の引き手を備えたスライドファスナーにより開閉可能に構成し、袋状布団カバーの四隅の内側に、内蔵される布団と連結するための結合紐を配し、袋状布団カバーの各４辺の適宜個所の内側に、内蔵される布団と連結するための結合紐を配したものである。【選択図】 図１
0003135280.tif 000002
【実用新案登録請求の範囲】
【請求項１】
矩形状の上下２枚の生地の短辺を閉塞し、長辺を開閉手段により開閉可能に構成したことを特徴とする袋状布団カバー。
【請求項２】
開閉手段がスライドファスナーであり、該スライドファスナーにおいて向き合う２個の引き手を備えたことを特徴とする請求項１に記載の袋状布団カバー。
【請求項３】
袋状布団カバーの四隅の内側に、内蔵される布団と連結するための結合紐を配したことを特徴とする請求項１又は２に記載の袋状布団カバー。
【請求項４】
袋状布団カバーの各４辺の適宜個所の内側に、内蔵される布団と連結するための結合紐を配したことを特徴とする請求項１〜３のいずれか１項に記載の袋状布団カバー。
【考案の詳細な説明】
【技術分野】
【０００１】
本考案は、掛け布団や敷き布団等の布団を覆い包む形態の袋状布団カバーに関し、特に、開閉が容易で、布団の出し入れが行ない易い袋状布団カバーに関する。
【背景技術】
【０００２】
従来より、特許文献１に示されるように、矩形の袋状布団カバーにおいて、隣り合う２辺あるいは３辺にスライドファスナーを配して開閉可能にしたことにより、布団の出し入れを可能にしたものが知られている。
【特許文献１】特開２００３−３８３２２号
【考案の開示】
【考案が解決しようとする課題】
【０００３】
しかし、上記従来の袋状布団カバーは、隣り合う２辺にスライドファスナーを配して開閉可能にした場合には、開閉に関与しない偶各部に布団の角部を押し入れることが面倒であり、また、隣り合う３辺にスライドファスナーを配して開閉可能にした場合には、大きく開放するため、広いスペースがあれば容易に布団の出し入れをすることができるが、スペースが狭いと布団の出し入れに困る問題があった。
【０００４】
そこで、本考案者は、鋭意研究を重ね、狭いスペースでも、布団の出し入れが行ない易い袋状布団カバーを開発した。
【課題を解決するための手段】
【０００５】
本考案に係る袋状布団カバーは、矩形状の上下２枚の生地の短辺を閉塞し、長辺を開閉手段により開閉可能に構成したことを特徴とするものである。
【０００６】
また、上記の構成において、開閉手段がスライドファスナーであり、該スライドファスナーにおいて向き合う２個の引き手を備えた構成を付加してもよい。
【０００７】
さらに、上記の各構成において、袋状布団カバーの四隅の内側に、内蔵される布団と連結するための結合紐を配した構成を付加してもよい。
【０００８】
さらにまた、上記の各構成において、袋状布団カバーの各４辺の適宜個所の内側に、内蔵される布団と連結するための結合紐を配した構成を付加してもよい。
【考案の効果】
【０００９】
本考案に係る袋状布団カバーは、該布団カバーにおける矩形の長辺両側において布団カバーが大きく開放するので、一方の開放側から布団を布団カバー内の中央付近まで押し入れた後、他方の開放側から、中央付近まで押し入れられた布団の端部を、布団を引き出すように引っ張るだけで容易に布団カバー内に布団が納まり、開閉手段により開放部を閉塞すれば布団カバーの装着が完了するので、布団に対する布団カバーの装着が極めて容易である。このように本考案の袋状布団カバーは、袋状布団カバーの取り換え作業が楽に行える利点があり、袋状布団カバーを取り換えることによって布団の清潔さを維持するのに困難性を感じないため、常に清潔な布団で心地よく就寝することができる。
【００１０】
また、開閉手段がスライドファスナーであり、該スライドファスナーにおいて向き合う２個の引き手を備えた構成を付加した場合には、開閉可能な長辺に対してその半分の距離だけ双方の引き手をそれぞれ反対方向に移動させるだけで開閉することができるので便利である。
【００１１】
さらに、袋状布団カバーの四隅の内側に、内蔵される布団と連結するための結合紐を配した構成を付加した場合には、布団と袋状布団カバーとを結合することができるため、布団を袋状布団カバー内に収納したときに布団が袋状布団カバー内で安定して固定されるので、袋状布団カバー内で布団がずれ動いてしまうおそれがない。そればかりでなく、開閉手段例えばスライドファスナーにより袋状布団カバーを開閉する際に、布団と袋状布団カバーとが固定されていると、スライドファスナーを取り付けている袋状布団カバーの縁部がたるまないので開閉がし易く、袋状布団カバーの取り換え作業の負担をより一層軽減する効果がある。
【００１２】
さらにまた、袋状布団カバーの各４辺の適宜個所の内側に、内蔵される布団と連結するための結合紐を配した構成を付加した場合には、袋状布団カバーに収納された布団がより一層安定し、かつ、開閉手段による開閉がより一層容易になるので、袋状布団カバーの取り換え作業の負担を大幅に軽減する効果がある。
【００１３】
このように袋状布団カバーと内蔵される布団とを連結する構造を備えておくと、布団の上げ下げの際に袋状布団カバーと布団とがずれてしまうことによる面倒な修正作業がなくなって布団の上げ下げの作業の負担が軽減する効果がある。また、就寝中に袋状布団カバーと布団がずれるようなことがないので寝心地がよくなる。
【００１４】
以上のように本考案に係る袋状布団カバーは、布団の出し入れを行い易くしたものであるから、老人や体の不自由な方にとっても容易に袋状布団カバーの取り換え作業ができる利点がある。
【考案を実施するための最良の形態】
【００１５】
以下に本考案の好適な実施例を図１〜図８に基いて詳細に説明する。
【実施例】
【００１６】
図１〜図８は本実施例の袋状布団カバーに布団を収納する手順を示すものであって、図１は本実施例の袋状布団カバーにおいて、矩形の長辺両側を開放した状態を示す斜視図であり、図２は矩形の長辺両側を開放した袋状布団カバーの右開放側から布団を押し入れる状態を示す斜視図であり、図３は矩形の長辺両側を開放した袋状布団カバーに布団を収納した状態を示す斜視図であり、図４は左開放側に配されている結合紐を布団に連結する状態を示す斜視図であり、図５は左開放側を閉塞した状態を示す斜視図であり、図６は矩形の短辺に配されている結合紐を布団に連結する状態を示す一部切欠斜視図であり、図７は右開放側に配されている結合紐を布団に連結する状態を示す斜視図であり、図８は右開放側を閉塞した状態を示す斜視図である。
【００１７】
本実施例に係る袋状布団カバーＡは、図１に示すように、矩形状の上下２枚の生地ａ１，ａ２の短辺ｂ１，ｂ２を縫着等により閉塞し、長辺ｃ１，ｃ２にはそれぞれ開閉手段としてスライドファスナーを取着して開閉可能に構成したものである。長辺ｃ１，ｃ２に取着されている個々のスライドファスナーはそれぞれ１対の務歯ｄ１，ｄ２及び務歯ｄ３，ｄ４と２個の引き手ｅ１，ｅ２及び引き手ｅ３，ｅ４とを備えており、該２個の引き手ｅ１，ｅ２及び引き手ｅ３，ｅ４はそれぞれ向き合った構成に配されている。
【００１８】
そして、袋状布団カバーＡの四隅の内側に、カバーＡ内に内蔵される布団Ｐと連結するための結合紐ｆ１，ｆ２，ｆ３，ｆ４が配され、また、袋状布団カバーＡの各４辺の適宜個所の内側に、カバーＡ内に内蔵される布団Ｐと連結するための結合紐ｇ１，ｇ２，ｇ３，ｇ４が配されている。
【００１９】
上記の袋状布団カバーＡは、図１に示すように、該布団カバーＡにおける矩形の長辺両側ｃ１，ｃ２において布団カバーＡが大きく開放するので、図２に示すように、右開放側から布団Ｐを布団カバーＡ内の中央付近まで押し入れた後、左開放側から、中央付近まで押し入れられた前記布団Ｐの端部を、布団Ｐを引き出すように引っ張るだけで、図３に示すように、容易に布団カバーＡ内に布団Ｐが納まる。
【００２０】
次に、図４に示すように、袋状布団カバーＡにおける左開放側の結合紐ｆ３，ｇ３，ｆ４を内蔵された布団Ｐと連結して固定し、引き手ｅ３，ｅ４を中央に寄せることによりスライドファスナーを閉じれば、図５に示すように、袋状布団カバーＡの長辺ｃ２が閉塞される。
【００２１】
そして、図６に示すように、短辺ｂ１，ｂ２の内側に配した結合紐ｇ４，ｇ２を布団Ｐと連結して固定する。
【００２２】
最後に、図７に示すように、袋状布団カバーＡにおける右開放側の結合紐ｆ１，ｇ１，ｆ２を内蔵された布団Ｐと連結して固定し、引き手ｅ１，ｅ２を中央に寄せることによりスライドファスナーを閉じれば、図８に示すように、袋状布団カバーＡの長辺ｃ１が閉塞され、袋状布団カバーＡの布団Ｐに対する装着が完了する。このように袋状布団カバーＡは、布団Ｐに対する装着が極めて容易であり、袋状布団カバーＡの取り換え作業が楽に行える利点があり、袋状布団カバーＡを取り換えることによって布団の清潔さを維持するのに困難性を感じないため、常に清潔な布団で心地よく就寝することができる。
【００２３】
また、上記のように該スライドファスナーに向き合う２個の引き手ｅ１，ｅ２及びｅ３，ｅ４を備えているので、開閉可能な長辺ｃ１，ｃ２に対してその半分の距離だけ双方の引き手ｅ１，ｅ２及びｅ３，ｅ４をそれぞれ反対方向に移動させるだけで開閉することができるので便利である。
【００２４】
さらに、袋状布団カバーＡの四隅の内側に結合紐ｆ１，ｆ２，ｆ３，ｆ４を配し、袋状布団カバーＡの各４辺の適宜個所の内側に結合紐ｇ１，ｇ２，ｇ３，ｇ４を配して、袋状布団カバーＡ内に内蔵される布団Ｐと結合するようにしているので、布団Ｐを袋状布団カバーＡ内に収納したときに布団Ｐが袋状布団カバーＡ内で安定して固定される。したがって、袋状布団カバーＡ内で布団Ｐがずれ動いてしまうおそれがない。しかも、スライドファスナーにより袋状布団カバーＡを開閉する際に、布団Ｐと袋状布団カバーＡとが固定されていると、スライドファスナーを取り付けている袋状布団カバーＡの縁部がたるまないため、引き手ｅ１，ｅ２及びｅ３，ｅ４の移動がし易くなるので開閉がし易く、袋状布団カバーＡの布団Ｐに対する取り換え作業の負担をより一層軽減する効果がある。また、袋状布団カバーＡと内蔵される布団Ｐとを連結する構造を備えておくと、布団の上げ下げの際に袋状布団カバーＡと布団Ｐとがずれてしまうことによる面倒な修正作業がなくなって布団の上げ下げの作業の負担が軽減する効果がある。また、就寝中に袋状布団カバーＡと布団Ｐがずれるようなことがないので寝心地がよくなる。
【００２５】
以上のように本実施例に係る袋状布団カバーＡは、布団Ｐの出し入れを行い易くしたものであるから、老人や体の不自由な方にとっても容易に袋状布団カバーの取り換え作業ができる利点がある。
【００２６】
なお、上記の実施例においては開閉手段としてスライドファスナーを使用したが、面ファスナーやボタン・ホックなどの係合部材による開閉手段を使用してもよい。
【００２７】
上記の各実施例は、これに限定されるものではなく、実用新案登録請求の範囲に記載した広範囲な実施形態を包含するものである。
【図面の簡単な説明】
【００２８】
【図１】本考案における実施例の袋状布団カバーにおいて、矩形の長辺両側を開放した状態を示す斜視図である。
【図２】本考案における実施例の袋状布団カバーにおいて、右開放側から布団を押し入れる状態を示す斜視図である。
【図３】本考案における実施例の袋状布団カバーにおいて、布団を収納した状態を示す斜視図である。
【図４】本考案における実施例の袋状布団カバーにおいて、左開放側に配されている結合紐を布団に連結する状態を示す斜視図である。
【図５】本考案における実施例の袋状布団カバーにおいて、左開放側を閉塞した状態を示す斜視図である。
【図６】本考案における実施例の袋状布団カバーにおいて、矩形の短辺に配されている結合紐を布団に連結する状態を示す一部切欠斜視図である。
【図７】本考案における実施例の袋状布団カバーにおいて、右開放側に配されている結合紐を布団に連結する状態を示す斜視図である。
【図８】本考案における実施例の袋状布団カバーにおいて、右開放側を閉塞した状態を示す斜視図である。
【符号の説明】
【００２９】
Ａ・・・袋状布団カバー
Ｐ・・・布団
ａ１，ａ２・・・矩形状の上下２枚の生地
ｂ１，ｂ２・・・矩形状袋状布団カバーの短辺
ｃ１，ｃ２・・・矩形状袋状布団カバーの長辺
ｄ１，ｄ２，ｄ３，ｄ４・・・スライドファスナーの務歯
ｅ１，ｅ２，ｅ３，ｅ４・・・スライドファスナーの引き手
ｆ１，ｆ２，ｆ３，ｆ４・・・袋状布団カバーの四隅に配した結合紐
ｇ１，ｇ２，ｇ３，ｇ４・・・袋状布団カバーの各４辺に配した結合紐
【図１】
0003135280.tif 000003
【図２】
0003135280.tif 000004
【図３】
0003135280.tif 000005
【図４】
0003135280.tif 000006
【図５】
0003135280.tif 000007
【図６】
0003135280.tif 000008
【図７】
0003135280.tif 000009
【図８】
0003135280.tif 000010